(57)【要約】  対向端を有する織布体を備えている産業用布に関する。布は、少なくとも一つの、クロスマシン方向の横糸の組織と織り合わされた、少なくともの２つの、マシン方向の縦糸の組織を含む。布の各端において、縦糸の少なくとも一部は、マシン方向に対してそれぞれ第１の角度を成す第１の組のループを形成し、前記縦糸の少なくとも一部は、前記マシン方向に対してそれぞれ第２の角度にある第２の組のループを形成し、該第２の組のループは、それぞれ、前記第１の組の傾斜ループとほぼ同心上にあって二重端ループを形成する。この布構造は、ループ内の全ての縦糸を使用できるとう長所があり、縫い目の抗張力をかなり増やす。また、平坦な縫い目の構成も可能になる。この縫い目デザインは、製紙機械のための乾燥布に用途がある。【特許請求の範囲】
【請求項１】
工業用布であって、対向端を有する織布体を備え、該織布体は、少なくとも１つのクロスマシン方向（cross machine direction：横（幅）方向）横糸（weft：緯糸）の組織（system）と織り合わせられた少なくとも２つの垂直方向に重なったマシン方向（machine direction：縦方向）縦糸（warp：経糸）の組織を有し、該布の各端において、前記縦糸の少なくとも一部は、前記マシン方向に対してそれぞれ第１の角度にある第１の組のループを形成し、前記縦糸の少なくとも一部は、前記マシン方向に対してそれぞれ第２の角度にある第２の組のループを形成し、該第２の組のループは、それぞれ、前記第１の組の傾斜ループとほぼ同心上にあって二重端ループを形成する、ことを特徴とする工業用布。
【請求項２】
抄紙機布であって、抄紙機のドライヤーセクションで用いられ、機械側、紙側、及びマシン方向を有し、且つ継ぎ合わせループをそれぞれ含む両端を有し、
前記マシン方向に配置される第１の組のモノフィラメント縦糸と、
前記マシン方向に配置される第２の組のモノフィラメント縦糸と、
クロスマシン方向に配置される少なくとも１組のモノフィラメント横糸と
の組み合わせを備え（から成り）、前記２組の縦糸及び前記横糸は、
前記第１の組の縦糸が、該布の前記紙側に露出したフロートを与え、
前記第２の組の縦糸が、該布の前記機械側に露出したフロートを与え、且つ
前記第１の組の糸それぞれが、横糸と織り合わさって、前記横糸と前記第２の組の露出したフロートとの間にナックル（knuckle）を形成し、
前記第２の組の糸それぞれが、横糸と織り合わさって、該横糸と前記第１の組の露出したフロートとの間にナックルを形成し、且つ
前記第１の組のモノフィラメント縦糸が、前記第２の組のモノフィラメント縦糸の真上に配置される
反復織目パターンになるように織り合わせられ、
第１の組の継ぎ合わせループが、前記マシン方向に対してそれぞれ第１の角度にある第１の組のループを形成するように曲がった前記第１の組の縦糸それぞれの露出端を備え、露出した縦糸端それぞれの残りが、前記第２の組の縦糸からの縦糸のすぐ隣の縦糸経路に、該すぐ隣の縦糸経路の前記織目パターンと相関して織り戻され、
第２の組の継ぎ合わせループが、前記マシン方向に対してそれぞれ第２の角度にある第２の組のループを形成するように曲がった前記第２の組の縦糸それぞれの露出端を備え、前記第２の組のループはそれぞれ、前記第１の組の傾斜ループとほぼ同軸上にあり、露出した縦糸端それぞれの残りが、前記第１の組の縦糸からの縦糸のすぐ隣の縦糸経路に、該布の前記織目パターンと相関して織り戻される、ことを特徴とする抄紙機布。
【請求項３】
前記第１の組の傾斜ループ及び前記第２の組の傾斜ループは、隣接する縦糸に作られることを特徴とする請求項１又は２に記載の布。
【請求項４】
前記第１の組の傾斜ループ及び前記第２の組の傾斜ループは、隣接する縦糸に作られ、各組のループは、前記縦糸の組織における前記縦糸の５０％に作られることを特徴とする請求項１又は２に記載の布。
【請求項５】
前記第１の角度、前記第２の角度、及び前記第３の角度は同様であることを特徴とする請求項１又は２に記載の布。
【請求項６】
前記第１の角度及び前記第２の角度は、前記マシン方向に対して同じ方向にないことを特徴とする請求項１又は２に記載の布。
【請求項７】
前記第１の角度及び前記第２の角度は、前記マシン方向と同じ方向にあることを特徴とする請求項１又は２に記載の布。
【請求項８】
コイル継目用に準備された一対の対向する布端において、前記マシン方向に対する前記第１の角度、前記第２の角度、及び前記第３の角度の方向は、前記継目を閉じるのに用いられる前記コイルのねじれ角の方向と一致するように選択されることを特徴とする請求項１又は２に記載の布。
【請求項９】
ピン継目用に準備された一対の対向する布端において、各布端における前記マシン方向に対する前記第１の角度、前記第２の角度、及び前記第３の角度の方向は、前記布端における前記２組のループの噛み合わせを容易にするように選択されることを特徴とする請求項１又は２に記載の布。
【発明の詳細な説明】
【技術分野】
【０００１】
本発明は、抄紙機等の布の端同士を接合するのに用いられる、改良された高ループ密度で織り戻されるコイル又はピン継目に関する。
【背景技術】
【０００２】
抄紙機のフォーミングセクション、プレスセクション、又は乾燥セクションのいずれかで用いることが意図される織布は、通常、３つの方法、すなわち、
（ａ）例えば米国特許第３，３６６，３５５号に記載されているように、平織り布の対向端同士を永久織り継目で接合すること、又は
（ｂ）例えば米国特許第４，１８２，３８１号に記載されているように、平織り布の対向端に小さなループを形成してから、抄紙機への布の設置中にこれらのループ端を互いに噛み合わせて、ピン継目と呼ばれるヒンジ型接合部を形成するために軸が挿入される通路を形成することによって、平織り布の対向端同士を接合すること、又は
（ｃ）例えば米国特許第５，８７５，８２２号、第６，０６５，５０５号、第６，２４１，０８１号、及び第６，２６７，０６８号に記載されているように、平織り布の２つの対向端それぞれに小さなループを形成し、２組のループそれぞれを螺旋コイルと係合させてから、対向する布端に取り付けられた２つのコイルを互いに噛み合わせて、ヒンジ型接合部を形成するために軸が挿入される通路を形成することによって、平織り布の対向端同士を接合すること
のうちの１つによって、エンドレスループに変えられる連続ストリップとして織られる。
【０００３】
本発明は、これらの方法のうち少なくとも２つに関し、より詳細には、これらの方法のうち最後の方法に関係する。この形態の継目は既知であり、広く用いられており、一般的にコイル型と呼ばれる。ピン継目及びコイル継目の両方において、布端それぞれから横糸の一部を除去し、布端において縦糸の露出長を隣接する縦糸経路に織り戻すことによって、縦糸を用いて必要なループが形成される。
【０００４】
多くの工業用布は、一般に、その布の使用が意図される機械に設置された後で接合されて連続ループになるため、本発明は、コイル継目が適当であるか又は望ましいようなタイプの工業用織布に適している。本発明は、少なくとも２つの別個の縦糸層が反復布織目パターンで互いに重ねて配置されることで、一方の側のほぼ平坦な布面上の各縦糸が反対側のほぼ平坦な布面上にある別の縦糸と積層関係となるような、少なくとも２つの縦糸層を構造内に有する工業用布に特に適している。このような布は、既知であり、Leeによる、米国特許第５，０９２，３７３号、米国特許第５，１０４，８７４号、米国特許第５，１１７，８６５号、米国特許第５，１４８，８３８号、米国特許第５，１６７，２６１号、米国特許第５，１９９，３７１号、米国特許第５，２３０，３７１号、米国特許第５，２３８，０２７号、米国特許第５，３４３，８９６号、米国特許第５，４１１，０６２号、米国特許第５，６４５，１１２号、及び米国特許第５，６９０，１４９号に記載されている。したがって、本発明は、より詳細には、抄紙機におけるドライヤー布として用いることが意図される、Lee特許に記載されているもの等の、布織目パターンに２つの別個の縦糸層がある工業用織布に関する。
【０００５】
ドライヤー布は、その長さゆえに大抵の場合は抄紙機のドライヤーセクションで接合されてエンドレスループになるため、本発明は、特にドライヤー布に関し、より詳細には、コイル型又はピン型の継目が用いられるドライヤー布に関する。本発明は、特に、抄紙機ドライヤー布として一般に用いられる２層布に関する。
【０００６】
従来技術の継目は、限定はされないが、以下のものを含むいくつかの欠点を有する。
【０００７】
１）設置中に布端のループ又はコイルを互いに噛み合わせ、軸をループ又はコイルに挿入して継目を閉じることが困難であること、
２）縦糸の一部しか継目で利用されないため、継目領域におけるマシン方向強度が不十分であることによって布の破損が生じること、及び
３）湿った紙ウェブに継目構造の跡が付くこと（marking）。
【０００８】
横断方向の継目は布の脆弱点である可能性があり、継目の破損は全ての抄紙機においてよく見られることが既知である。したがって、布のマシン方向の引張強さ特性が継目から離れた布の本体自体の引張強さ特性に近いか又はそれよりも強い、ピン継目又はコイル継目を提供することが強く望まれることになる。大抵の従来技術のピン継目又はコイル継目は、利用可能であると考えられる縦糸を半分だけ用いて必要なループを形成することによって作られ、他の縦糸は横糸の周りに曲げ戻されて布の端に織り戻される。縦糸の残りの５０％は継目の耐力要素とならないため、このような継目の引張強さは布の引張強さの５０％を超えることができない。
【０００９】
利用可能な縦糸を５０％より多く利用して螺旋コイルを布端に取り付けるのに必要なループを形成することによって、コイル継目を作ることが知られている。用いられるコイルは通常、ナイロン、ＰＰＳ、又はＰＥＥＫ等の熱可塑性ポリマーから形成されるモノフィラメントから作製される。モノフィラメントは、概して、ほぼ円形の断面を有するが、例えばFargeoutによって米国特許第５，８７５，８２２号に開示されているように、卵形又は矩形等の他の形状が用いられてもよい。コイルを取り付けるためのループを提供するのに用いられる布縦糸の数が増えると、コイルを作製するのに用いられるモノフィラメントの断面積が小さくならなければならない。これは、コイルを取り付けるのに用いられる縦糸ループの数が増えることで、継目を形成するためにコイルを噛み合わせてループにするのに対応する利用可能な空間量が減るからである。コイルで用いられるモノフィラメントの断面積若しくはコイルで用いられるモノフィラメントの断面形状、又はこれら両方を、コイルを取り付けるのに用いられるループの数の増加に対応するように変えなければ、継目の形成が困難になり、跡が付かないようにするのに十分なほど滑らかにすることができない。しかしながら、コイルで用いられるモノフィラメントのサイズが小さくなると、継目の引張強さも弱くなり、これもまた望ましくない。
【００１０】
継目自体が、その両側の、ループを提供するのに用いられる縦糸が布端に織り戻される２つの領域とともに、製造中の紙に跡を付けてはならないことも既知である。継目跡は、布の残りの領域に対する継目領域の通気性の差に起因する乾燥速度の差によって、ドライヤーセクションにおいて生じる可能性がある。継目跡は、ループを提供するのに用いられる縦糸端の織り戻しによってできる継目の隣接領域の隆起部分が、湿った紙ウェブに過大な圧力を加えることによっても生じる可能性がある。
【００１１】
概して、継目は、通気性、表面平滑性、布端の厚さ、及び継目の引張強さのいずれに関しても、布の本体との差をできる限り小さくするべきである。
【００１２】
多くの布デザイン、及びこれら布デザインの継目が提案されている。
【００１３】
米国特許第５，０９２，３７３号、米国特許第５，４１１，０６２号、米国再発行特許第３５，９６６号、及び米国特許第５，６９０，１４９号等を含む関連特許群において、Leeは、抄紙機のドライヤーセクションで用いられるのに適した２層布及び当該布で用いられる継目構造の両方を記載している。Leeが記載しているデザインの布は商業用であるが、この継目構造は、上述のように、ピン継目に必要なループを作るのに縦糸の５０％しか用いられないという欠点を有する。Leeは、コイル継目の使用については考慮していない。
【００１４】
さらに、Leeが記載している継目に与えられる利点は、継ぎ合わせループがマシン方向と平行なため軸挿入が容易になることである。しかしながら、これを達成するには、ループを形成する縦糸をその真下の縦糸の経路に、布に関して前述した積層配列で織り戻すこと、及びループを形成するのに縦糸を１つおきにしか用いないことでループを噛み合わせるのに必要な空間を得ることによるしかない。間にあるループを形成しない糸は、横糸の周りに曲げ戻されて、布の端に織り戻される。
【００１５】
Kuckart他の米国特許第５，６０１，１２０号には、抄紙機のドライヤーセクションにおいて用いるのに適した２層布の軸継目構造が記載されている。Kuckart他が記載しているような継目構造では、扁平な矩形断面の縦糸が２層ループを作るのに用いられ、２層ループは、一方の縦糸が布の紙側層からのものであり他方の縦糸が布の機械側層からのものである縦糸対を備える（から成る）。各ループにおいて、機械側層縦糸は、布端に織り戻されるように第１の経路に曲げ戻され、紙側層縦糸は、布端に織り戻されるように機械側層縦糸のループの外側の周りに第２の経路に曲げ戻される。しかしながら、これらの２層ループは高い強度を有するが、この継目構造では、上述のように、重なった扁平縦糸の５０％しか２層ループの作製に用いられない。上述の布の縦糸は互いに垂直方向に重なっているため、ループは、ループを形成するのに用いられる縦糸の真下の縦糸の経路に織り戻されなければならない。
【００１６】
Fickers他は、米国特許第６，０６５，５０５号及び米国特許第６，２６７，０６８号において、コイル継目と見た目が同様の、製織（woven）ドライヤー布のステッチ螺旋継目（stitched helix seam）を開示している。このタイプの継目は、概して、継目の引張強さを高めるためにドライヤー布の側縁で用いられる。記載されているように、ステッチ螺旋継目は、布の対向端にクロスマシン方向に縫われ、マシン方向縦糸の全てを利用して螺旋を布端に取り付けるため、螺旋継目の引張強さが最大になる。ステッチ螺旋コイルは、少なくとも１つの横糸によって所定位置に保持され、縦糸は、この継目が適している布の積層縦糸配列特徴を保つために、そのまま真下に織り戻される。したがって、この継目構造の縦糸ループによって布に形成される開口はほぼ水平である。
【００１７】
Holdenは、米国特許第６，２４１，０８１号において、縦糸端に形成される短ループ及び長ループの両方によって継ぎ合わせコイルが保持される、改良されたコイル継目配列を記載している。この織目パターンは、縦糸を積層配列で配置させない。Holdenが記載している継目の一部の態様は、本発明の継目に類似しているが、Holdenは、上述のLee特許に記載されているタイプの多層布におけるコイル継目を記載していない。
【発明の開示】
【発明が解決しようとする課題】
【００１８】
本発明は、上記の欠点が克服されないとしても少なくとも最小になる、抄紙機布等の工業用布、特に、多層抄紙機ドライヤー布の、少なくとも２つの縦糸層を有する継目構造を提供することを目的とする。特に、本発明は、継目のループを作るのに布の縦糸を全て用いることができる、工業用布、特に、多層抄紙機ドライヤー布の、少なくとも２つの縦糸層を有する継目構造を提供することを目的とする。
【課題を解決するための手段】
【００１９】
したがって、第１の実施の形態では、本発明は、工業用布であって、対向端を有する織布体を備え、織布体は、少なくとも１つのクロスマシン方向横糸の組織と織り合わせられた少なくとも２つの垂直方向に重なったマシン方向縦糸の組織を有し、布の各端において、縦糸の少なくとも一部は、マシン方向に対してそれぞれ第１の角度にある第１の組のループを形成し、縦糸の少なくとも一部は、マシン方向に対してそれぞれ第２の角度にある第２の組のループを形成し、第２の組のループはそれぞれ、第１の組の傾斜ループとほぼ同心上にあって二重端ループを提供する、工業用布を提供することを目的とする。
【００２０】
第１の組の傾斜ループ及び第２の組の傾斜ループは、隣接する縦糸に作られることが好ましい。
【００２１】
第１の組の傾斜ループ及び第２の組の傾斜ループは、隣接する縦糸に作られ、各組のループは、縦糸の組織における縦糸の５０％に作られることがより好ましい。
【００２２】
第１の角度及び第２の角度は、同様であることが好ましい。
【００２３】
第１の角度及び第２の角度は、マシン方向に対して同じ方向にないことが好ましい。代替的に、第１の角度及び第２の角度は、マシン方向と同じ方向にある。
【００２４】
コイル継目用に準備された一対の対向する布端において、マシン方向に対する第１の角度及び第２の角度の方向は、ループによって画定される開口が、継目を閉じるのに用いられるコイルのねじれ角の方向と一致するように選択されることが好ましい。
【００２５】
第２の実施の形態では、本発明は、抄紙機布であって、抄紙機のドライヤーセクションで用いられ、機械側、紙側、及びマシン方向を有し、且つ継ぎ合わせループをそれぞれ含む両端を有し、
マシン方向に配置される第１の組のモノフィラメント縦糸と、
マシン方向に配置される第２の組のモノフィラメント縦糸と、
クロスマシン方向に配置される少なくとも１組のモノフィラメント横糸と
の組み合わせを備え（から成り）、２組の縦糸及び横糸は、
第１の組の縦糸が、布の紙側に露出したフロートを与え、
第２の組の縦糸が、布の機械側に露出したフロートを与え、且つ
第１の組の糸それぞれが、横糸と織り合わさって、横糸と第２の組の露出したフロートとの間にナックルを形成し、
第２の組の糸それぞれが、横糸と織り合わさって、横糸と第１の組の露出したフロートとの間にナックルを形成し、且つ
第１の組のモノフィラメント縦糸が、第２の組のモノフィラメント縦糸の真上に配置される
反復織目パターンになるように織り合わせられ、
第１の組の継ぎ合わせループが、マシン方向に対してそれぞれ第１の角度にある第１の組のループを形成するように曲がった第１の組の縦糸それぞれの露出端を備え、露出した縦糸端それぞれの残りが、第２の組の縦糸からの縦糸のすぐ隣の縦糸経路に、すぐ隣の縦糸経路の織目パターンと相関して織り戻され、
第２の組の継ぎ合わせループが、マシン方向に対してそれぞれ第２の角度にある第２の組のループを形成するように曲がった第２の組の縦糸それぞれの露出端を備え、第２の組のループはそれぞれ、第１の組の傾斜ループとほぼ同軸上にあり、露出した縦糸端それぞれの残りが、第１の組の縦糸からの縦糸のすぐ隣の縦糸経路に、布の織目パターンと相関して織り戻される、抄紙機布を提供することを目的とする。
【００２６】
本発明の文脈では、以下の用語は、それらに関して本明細書で後述する意味を有すると理解されたい。
【００２７】
用語「マシン方向」は、例えば抄紙機での使用時に布が移動する方向と一致するか又はほぼ平行な方向を指す。
【００２８】
用語「クロスマシン方向」は、布の表面と一致するか又はほぼ平行であり、マシン方向に対してほぼ垂直な方向を指す。
【００２９】
用語「縦糸経路」は、反復布織目パターンにおける、選択された縦糸が占める経路を指す。
【００３０】
用語「フロート」は、一群の横糸の上又は下を通り、それらと織り合わせられない縦糸の長さを指し、これに関連する「フロート長」は、上又は下を通る糸の数を示す数として表される、フロートの長さを指す。
【００３１】
用語「積層」は、各層の縦糸が互いのほぼ垂直上方に配置される反復織目パターンデザインを指す。
【００３２】
次に、本発明の一実施形態を、添付図面を参照してより詳細に説明する。
【発明を実施するための最良の形態】
【００３３】
まず図１を参照すると、図示の布断面は、上記のLee特許の教示に従って構成された２層布の、縦糸とほぼ平行なマシン方向に切り取られた断面である。図示の布は、市販のものであり、多層ドライヤー布の一例にすぎない。図示の布は、２組の縦糸及び１組の横糸を利用する２層布である。この布デザインは、図２、図３、図４、及び図５でも用いられる。
【００３４】
次に図１をより詳細に参照すると、図示の布は、１及び２で示す２組の縦糸を３で示す１組の横糸と織り合わせた２層布である。縦糸１及び２が占める縦糸経路は、互いの上にほぼ重なっている。各経路は、４で示す布の紙側層及び５で示す機械側層に、露出したフロートを設ける。これらの露出したフロートの内側では、布の他方の面からの縦糸が横糸と織り合わさって、その横糸と隣接する縦糸フロートとの間を通るのが分かる。紙側では、縦糸２が横糸６と縦糸１のフロート４との間を通る一方で、布の機械側面では、縦糸１が横糸７と縦糸２のフロート８との間を通るのが分かる。この布構造により、２本の縦糸１及び２が常に互いの垂直上方又は下方にほぼ重なることが確実になる。
【００３５】
図２は、継ぎ合わせの準備が整った布の端の図１と同じ方向の断面を示す。図２は、布端部分の最後の数本の横糸のみを示す。縦糸１及び２の端を布端に織り戻すのに用いられる縦糸経路の最初の部分も示されている。これらの経路は、一般には数センチメートルの長さになり、各縦糸が選ばれた各縦糸経路の布織目反復パターンに従って織り戻される。
【００３６】
次に図２をより詳細に参照すると、縦糸１のそれぞれが横糸１０の上を通り、且つ横糸１０及び縦糸２の両方の下を通るため、この場合も縦糸２が横糸１０と縦糸１との間に配置されるのが分かる。継ぎ合わせループは、１Ａで示すように縦糸１に、及び２Ａで示すように横糸２に作られる。横糸の全てが必ずしも同じ直径ではないことも分かる。横糸１０及び１０Ａは交互になっており、横糸１０Ａが横糸１０よりもいくらか小さい。
【００３７】
この図は、継ぎ合わせコイル１１の切断端１２で示されるように、２つのループ１Ａ及び２Ａと係合する継ぎ合わせコイル１１も示す。したがって、布端を継ぎ合わせ螺旋と係合させるのにマシン方向縦糸の全てが利用されることが分かる。継目構造で用いられる螺旋コイル１１が、ループ１Ａ及び２Ａ内の空間に形成される開口に配置されることも分かる。縦糸１及び縦糸２で代表される縦糸組のそれぞれを、重ねられる縦糸に直接隣接する縦糸の経路に織り込むことによって、ループがマシン方向に対して斜めに作られる。こうすると、継目が使用時に張力下にある場合、２つのループ１Ａ及び２Ａが動いて占有空間を少なくすることができることにもなる。これによりさらに、螺旋コイルを構成するのに用いられるモノフィラメント糸の形状及び断面積を選択する際に、或る程度の選択肢が与えられる。
【００３８】
図３は、図２で継ぎ合わせの準備が整った状態で示される布端の紙側面をより詳細に示す。継目構造の３つの特徴を図３で見ることができる。
【００３９】
第１に、領域２０において、縦糸１のループが縦糸２のループの外側の周りに形成され、縦糸１のループが縦糸２のループに対して傾斜してはいるが縦糸２とほぼ同心上にあり、これら両方が布のマシン方向に対して傾斜していることが分かる。これは、縦糸１を、その元の経路に隣接する、布の機械側面において縦糸１を縦糸２の下に置く縦糸の経路に織り直すことによって達成される。この場所は図２でも見られる。同様に、縦糸２もその元の経路に隣接する縦糸経路に織り直される。縦糸１の経路及び縦糸２の経路の同じ側に隣接する糸経路を利用することによって、ループの全てをマシン方向に対して同じ方向に傾けることができる。
【００４０】
第２に、隣接する縦糸経路（図３では、これは糸１の経路の上又は下にあり得る）は、縦糸１のループをいずれの側に傾けるようにも選択できる。この場合、縦糸ループがコイル１１のループと位置合わせされることを確実にするように選択を行うことができることになる。これにより、ループへのコイルの挿入が簡単になる。
【００４１】
第３に、縦糸１のループ１Ａの第１の角度と縦糸２のループ２Ａの第２の角度とは必ずしも同じではないことも分かる。さらに、図３に示すように、ループ１Ａの角度は、図３に矢印Ａで示すマシン方向に対して逆方向にある。さらに、１Ａ及び２Ａの二重ループの角度である第３の角度もまた、多くの場合、第１の角度又は第２の角度と同じではないことも分かる。
【００４２】
図４は、軸ワイヤを２つの螺旋コイル１１及び１２に挿入させる準備ができた、本発明の継目を示す。これら２つのコイルはそれぞれ、準備が整った２つの対向する布端２１及び２２の２組のループに組み込まれ、これらの布端はいずれも、図２及び図３に示すような準備が施されている。Ｘ−Ｘで概略的に示す線に沿った軸の挿入は、継目を閉じる役割を果たす。
【００４３】
図５は、コイル継目の代わりにピン継目を用いた継ぎ合わせのために、本発明に従って準備された１つの布端を示す。この図に示す布は、図１の布と同じである。図５では、継目用のピン２５に加えて、２組のループが設けられる方法を明確に見ることができる。縦糸１は、ピン２５の周りに１Ａで示すループを形成してから、隣接する縦糸経路１Ｂで布端に織り戻される。同様に、縦糸２は、ピン２５の周りに２Ａで示すループを形成してから、隣接する縦糸経路２Ｂで布端に織り戻される。
【００４４】
ピン継目が図５に示すように用いられる場合、布の一端におけるループの第１の角度及び第２の角度を、布の他端におけるループの対応する角度と一致するように選択することが有利である。これは、噛み合ったループへの継目ピンの挿入のための、２つの布端の噛み合わせが容易になるからである。
【００４５】
図１、図２、図３、及び図４に示す布では、上記米国特許においてLeeによって教示されたように扁平な縦糸が用いられる。
【００４６】
本発明の継目構造は、主に継目構造の縦糸が全て用いられるという理由から、同様の布の従来技術の継目と比較して高い引張強さを提供することが分かっている。さらに、一方の縦糸を他方の縦糸の内側にして重ねた二重ループを用いることで、ループのそれぞれがコイルの角度配向をより密接にたどることが可能になる。これにより、継目に隣接する領域をより平坦にすることができるとともに、湿った紙ウェブに跡を付ける傾向をはるかに少なくすることができる。第２に、各ループの２本の糸をほぼ同心上に配置することによって、ループ間に与えられる継ぎ合わせコイル用の空間がより大きくなり、これにより、布の縦糸に用いられるモノフィラメント糸により近いサイズのより大きなモノフィラメント糸をコイルに用いることができる。さらに、これは、布で用いられるモノフィラメント縦糸の幅をいくらか広くすることも可能にする。これらの正味効果として、継目領域及び布の両方の引張強さが高まり、且つ布の使用寿命が長くなる。
【００４７】
図３及び図４では、図示のコイルは円形ではく、幾分扁平な断面形状に平坦化される。この形態のコイルは、継目の厚さが減るという利点を有し、特に継目領域における紙側面の平滑性の確保に寄与する。
【図面の簡単な説明】
【００４８】
【図１】縦糸とほぼ平行なマシン方向に２層布を切り取った断面を概略的に示す図である。
【図２】縦糸とほぼ平行なマシン方向に布の端部分を切り取った断面を概略的に示し、継ぎ合わせループに入れられた螺旋コイルを示す図である。
【図３】図２に示す布の部分の紙側面を示す図である。
【図４】継目を完成させるための軸の挿入に備えて２つの螺旋コイルをかみ合わせて、継ぎ合わせの準備が整った２つの布端を示す図である。
【図５】縦糸とほぼ平行なマシン方向の布の端部分の一部断面斜視図を概略的に示し、継ぎ合わせループに入れられるピン継目に必要なピンを示す図である。
【図１】
2007529638.tif 000002
【図２】
2007529638.tif 000003
【図３】
2007529638.tif 000004
【図４】
2007529638.tif 000005
【図５】
2007529638.tif 000006
【国際調査報告】
2007529638.tif 000007
2007529638.tif 000008